(57)【特許請求の範囲】
【請求項１】
走査電極を有する基板と、信号電極を有する基板間に液晶を介在させてなり、順次複数本の前記走査電極を同時に選択し、表示データに応じた重み付けした電圧を信号電極に印加して階調表示する液晶素子の駆動方法において、前記信号電極ごとに重み付けの組み合わせを替え、各前記信号電極に重み付けの組み合わせを替えた信号電圧を順番に印加し、全ての組み合わせが終わると、次からの前記信号電極には逆の順番で各前記信号電極に印加し、この順番を繰り返すことを特徴とする液晶素子の駆動方法。
【請求項２】
請求項１に記載の液晶素子の駆動方法を用いたことを特徴とする表示装置。
【発明の詳細な説明】
【０００１】
【発明の属する技術分野】
本発明は、液晶素子の駆動方法及びそれを用いた表示装置に関する。
【０００２】
【従来の技術】
順次複数本の走査電極を同時に選択し、階調表示する従来の駆動方法として、特願平５−５２００４８に示す方法がある。このような駆動方法の中で、信号電極に印加する波形の電圧で重み付けして階調表示するような場合、１選択期間に表示データの全ビットに対応した電圧を信号電極に印加することになる。
【０００３】
【発明が解決しようとする課題】
このような駆動方法で１選択期間に２つ以上の選択パターンを印加する場合、図６の（ｂ）、（ｃ）で示すように信号電極波形の周波数成分が高くなり表示ムラの原因となる。
【０００４】
【課題を解決するための手段】
本発明に記載の発明は、走査電極を有する基板と、信号電極を有する基板間に液晶を介在させてなり、順次複数本の前記走査電極を同時に選択し、表示データに応じた重み付けした電圧を信号電極に印加して階調表示する液晶素子の駆動方法において、前記信号電極ごとに重み付けの組み合わせを替え、各前記信号電極に重み付けの組み合わせを替えた信号電圧を順番に印加し、全ての組み合わせが終わると、次からの前記信号電極には逆の順番で各前記信号電極に印加し、この順番を繰り返すことを特徴とする。
【０００５】
また、本発明に記載の発明は、走査電極を有する基板と、信号電極を有する基板間に液晶を介在させてなる液晶素子を順次複数本の走査電極を同時に選択し、表示データに応じた重み付けをした電圧を電極に印加して階調表示する駆動方法において、１つの選択パターン期間に表示データｉビットの内のｋビット分の電圧を印加し、１フレーム期間で表示データｉビットに応じた電圧を印加することを特徴とする。
【０００６】
また、本発明に記載の発明は、走査電極に印加する波形として、１選択期間に２組以上の選択パターンをまとめて出力し、表示データに応じた重み付けをした電圧を電極に印加して階調表示する駆動方法において、１つの選択パターン期間に表示データｉビットの内のｋビット分の電圧を印加し、１フレーム期間で表示データｉビットに応じた電圧を印加することを特徴とする。
【０００７】
また、本発明に記載の発明は、１つの選択パターン期間に信号電極に印加する波形の重み付けの組み合わせとして、各組合わせでの実効電圧の差が最小となる組み合わせとすることを特徴とする。
【０００８】
また、本発明に記載の発明は、走査電極に印加する波形の１選択期間の選択パターンの順番を数フレーム周期で入れ替えることを特徴とする。
【０００９】
また、本発明に記載の発明は、走査電極に印加する波形の１選択期間に２つの選択パターンを印加し、この２つの選択パターンを２フレームごとに順番を入れ替えることを特徴とする。
【００１０】
また、本発明に記載の発明は、信号電極に印加する波形の重み付けの組み合わせが、２フレームごとに繰り返すことを特徴とする。
【００１１】
また、本発明に記載の発明は、本発明に記載の液晶素子の駆動方法を用いたことを特徴とする。
【００１２】
【実施例】
以下に、本発明による液晶素子の駆動方法及び表示装置について詳細に説明する。
【００１３】
（実施例１）
実施例１は、同時に４ラインずつ選択して、１選択期間に２つの選択パターンを走査電極に印加し、８階調表示する場合について説明する。この場合、表示データは３ビットで各ビットの重み付けに応じて電圧とパルス幅で信号電極波形に重み付けをし、最上位ビットをａ、次のビットをｂ、最下位ビットをｃとしている。
【００１４】
図１のＸ１〜Ｘ４は同時に選択する４ラインの走査電極に印加する走査電極波形を示し、Ｙ１〜Ｙ４は各信号電極に印加する信号電極波形を示している。
【００１５】
そして、図２は選択期間のある１選択期間での走査電極波形と信号電極波形を示している。
【００１６】
図２に示す１選択期間についてみると、（ｂ）の波形では前半の１／２Ｈではｃａ、後半の１／２Ｈではａｃの順番で各ビットの重み付けに対応した電圧を印加する。また、（ｃ）の波形では前半の１／２Ｈではｂａ、後半の１／２Ｈではａｂの順番で各ビットの重み付けに対応した電圧を印加する。このように、１選択パターンの間に等間隔で表示データ３ビット中の２ビットに対応する電圧を印加する。このような駆動方法で１フレーム期間の駆動波形を示したのが図１である。
【００１７】
【表１】
0003570421.tif 000002
【００１８】
図１のＹ１〜Ｙ４の信号電極波形に示すように各波形ごとに重み付けの組み合わせを変えている。この組み合わせを示したのが表１で、Ｓ１〜Ｓ４が各信号電極ごとの波形を示し、１Ｆと２Ｆは奇数フレームと偶数フレームを表し、１ｆ〜４ｆは各フィールドを表し、１Ｈと２Ｈは奇数選択期間と偶数選択期間を表している。そして、例えば、Ｓ１の信号電極波形は図１のＹ１で示す波形に対応し、Ｓ２はＹ２、Ｓ３はＹ３、Ｓ４はＹ４にそれぞれ対応している。
【００１９】
そして、Ｓ１〜Ｓ４の組み合わせによる波形が図５で示す液晶パネルの各信号電極Ｙ１〜Ｙｍの電極に印加され、Ｙ１にＳ１、Ｙ２にＳ２、Ｙ３にＳ３、Ｙ４にＳ４、Ｙ５にＳ４、Ｙ６にＳ３、Ｙ７にＳ２、Ｙ８にＳ１、Ｙ９にＳ１、Ｙ１０にＳ２と信号電極４本ごとに組み合わせの順番を替えている。
【００２０】
また、走査電極波形は、図３のＸ１〜Ｘ４で示すような波形を印加する。図３のＸ１〜Ｘ４は、図５の走査電極Ｘ１〜Ｘ４に印加する走査電極波形を示し、同時に選択する４ラインの選択パルスの極性の組み合わせは、１フレーム目と２フレーム目では極性が逆になっているだけで基本的に選択パターンの組み合わせは替えていないが、３フレーム目では１フレーム目と選択パターンの組み合わせを替えて、各１選択期間の前半の１／２Ｈのパターンと後半の１／２Ｈのパターンを入れ替え、４フレーム目は３フレーム目と逆極性にしている。
【００２１】
このような、駆動方法にすることによって表示ムラを減らし、より見やすい液晶ディスプレイを実現できる。
【００２２】
【表２】
0003570421.tif 000003
【００２３】
また、表２に示すような波形の組み合わせとしても同様の効果が得られる。
【００２４】
（実施例２）
実施例２は、同時に４ラインずつ選択して、１選択期間に２つの選択パターンを走査電極に印加し、１６階調表示する場合について説明する。この場合、表示データは４ビットで各ビットの重み付けに応じて電圧で信号電極波形に重み付けをし、最上位ビットをａ、次のビットをｂ、次のビットをｃ、最下位ビットをｄとしている。
【００２５】
図４のＸ１〜Ｘ４は同時に選択する４ラインの走査電極に印加する走査電極波形を示し、Ｙ１〜Ｙ４は各信号電極に印加する信号電極波形を示している。
【００２６】
そして、図２は選択期間のある１選択期間での走査電極波形と信号電極波形を示している。
【００２７】
図２に示す１選択期間についてみると、（ｄ）の波形では前半の１／２Ｈではｄａ、後半の１／２Ｈではａｄの順番で各ビットの重み付けに対応した電圧を印加する。また、（ｅ）の波形では前半の１／２Ｈではｃｂ、後半の１／２Ｈではｂｃの順番で各ビットの重み付けに対応した電圧を印加する。このように、１選択パターンの間に等間隔で表示データ４ビット中の２ビットに対応する電圧を印加する。このような駆動方法で１フレーム期間の駆動波形を示したのが図４である。
【００２８】
【表３】
0003570421.tif 000004
【００２９】
図４のＹ１〜Ｙ４の信号電極波形に示すように各波形ごとに重み付けの組み合わせを変えている。この組み合わせを示したのが表３で、Ｓ１〜Ｓ４が各信号電極ごとの波形を示し、１Ｆと２Ｆは奇数フレームと偶数フレームを表し、１ｆ〜４ｆは各フィールドを表し、１Ｈと２Ｈは奇数選択期間と偶数選択期間を表している。そして、例えば、Ｓ１の信号電極波形は図４のＹ１で示す波形に対応し、Ｓ２はＹ２、Ｓ３はＹ３、Ｓ４はＹ４にそれぞれ対応している。
【００３０】
そして、Ｓ１〜Ｓ４の組み合わせによる波形が図５で示す液晶パネルの各信号電極Ｙ１〜Ｙｍの電極に印加され、Ｙ１にＳ１、Ｙ２にＳ２、Ｙ３にＳ３、Ｙ４にＳ４、Ｙ５にＳ４、Ｙ６にＳ３、Ｙ７にＳ２、Ｙ８にＳ１、Ｙ９にＳ１、Ｙ１０にＳ２と信号電極４本ごとに組み合わせの順番を変えている。
【００３１】
また、走査電極波形は、図３のＸ１〜Ｘ４で示すような波形を印加する。図３のＸ１〜Ｘ４は、図５の走査電極Ｘ１〜Ｘ４に印加する走査電極波形を示し、同時に選択する４ラインの選択パルスの極性の組み合わせは、１フレーム目と２フレーム目では極性が逆になっているだけで基本的に選択パターンの組み合わせは替えていないが、３フレーム目では１フレーム目と選択パターンの組み合わせを替えて、各１選択期間の前半の１／２Ｈのパターンと後半の１／２Ｈのパターンを入れ替え、４フレーム目は３フレーム目と逆極性にしている。
【００３２】
このような、駆動方法にすることによって表示ムラを減らし、より見やすい液晶ディスプレイを実現できる。
【００３３】
（実施例３）
実施例１、２に示すような液晶素子の駆動方法による液晶表示装置を、パーソナルコンピュータやワードプロセッサーに使うことよって表示内容を非常に見やすくすることができた。そして、作業性を向上することが出来た。
【００３４】
尚、実施例では、４ライン同時選択による、８階調と１６階調表示について説明しているが、同時選択ライン数は何ラインでも良く、階調数も何階調でもよい。  また、各信号電極波形の重み付けの組み合わせも表１〜３に示す組み合わせ以外でもよい。
【００３５】
また、１選択期間に２選択パターンでの駆動方法で説明したが、１選択期間に１選択パターンや、１選択期間に２選択パターン以上の場合にも同様の駆動方法をすることができる。
【００３６】
【発明の効果】
以上に説明したように本発明によって、多ライン同時選択駆動で階調表示をする場合の表示ムラを大幅に低減してより見やすく、表示品質の高い表示装置を提供することができる。また、重み付けの組み合わせの数を減らすことができ、駆動回路を簡略化し、低コスト化も可能になる。また、低消費電力化も可能になる。
【図面の簡単な説明】
【図１】本発明による液晶素子の駆動方法の一例を示す駆動波形図。
【図２】本発明による液晶素子の駆動方法の一例を示す駆動波形図。
【図３】本発明による液晶素子の駆動方法の一例を示す走査電極波形図。
【図４】本発明による液晶素子の駆動方法の一例を示す駆動波形図。
【図５】液晶ディスプレイの電極の構成を示す図。
【図６】従来の液晶素子の駆動方法の一例を示す駆動波形図。
【図１】
0003570421.tif 000005
【図２】
0003570421.tif 000006
【図３】
0003570421.tif 000007
【図４】
0003570421.tif 000008
【図５】
0003570421.tif 000009
【図６】
0003570421.tif 000010